(57)【特許請求の範囲】
【請求項１】
内視鏡の管路に接続される管路接続部を備え、前記内視鏡管路に洗滌消毒作業用の流体を流して前記内視鏡管路内を洗滌消毒可能な内視鏡洗滌消毒装置において、
前記内視鏡の管路に流す流体の流量設定値を読み取る読取手段と、
前記内視鏡の管路を流れる流体の流量を測定して流量測定値を得る測定手段と、
前記読取手段により読み取られた流量設定値と、前記測定手段により測定された流量測定値とを比較し、前記流量測定値が前記流量設定値を越えたか否かを判定する制御手段と、
を有することを特徴とする内視鏡洗滌消毒装置。
【請求項２】
前記流量測定値が前記流量設定値を越えたとき、その旨を告知する告知手段を有することを特徴とする請求項１に記載の内視鏡洗滌消毒装置。
【発明の詳細な説明】
【０００１】
【発明の属する技術分野】
本発明は、使用済の内視鏡の内部管路を洗滌消毒可能な内視鏡洗滌消毒装置に関する。
【０００２】
【従来の技術】
一般に、内視鏡は体腔内の検査および治療に広く利用されており、その内部には送気、送水、吸引等を行うための各種の管路が組み込まれている。そして、内視鏡は、使用する毎に、その内部管路を洗滌消毒する必要がある。
【０００３】
ところで、内視鏡は、胃用内視鏡、十二指腸用内視鏡、大腸用内視鏡、気管支用内視鏡など多種類である。ここで、胃用内視鏡は、一般的に特殊な管路がなく、また管路も短く、標準的な太さである。また、十二指腸用内視鏡には管路が極めて細い鉗子起上パイプがある。また、大腸用内視鏡は、挿入部が長く、管路も太い。逆に、気管支用内視鏡は、管路が細い。このように内視鏡管路は、内視鏡の種類によって構造が大きく異なっている。
【０００４】
これら多種類の内視鏡を１台の内視鏡洗滌消毒装置で洗滌消毒できるようにする為に、内視鏡洗滌消毒装置においては、内視鏡の洗滌消毒時に洗滌消毒装置と内視鏡管路とを接続し、洗滌消毒装置から内視鏡管路内へ洗滌液や消毒液、空気等を送り込んでいる。ここで、内視鏡管路の洗滌性、消毒性を保つ為には内視鏡の洗滌消毒時に内視鏡管路への十分な送液及び送気が行われる必要がある。
【０００５】
そこで、従来の内視鏡洗滌消毒装置では、内視鏡管路を流れる液体の流量や、圧力などを測定し、内視鏡管路に詰まりが無く、送液及び送気が十分行われている状態か、否かを確認する管路の詰まり状態監視手段を設けたものが例えばＤＥ３９１８４３２  Ｃ２などに開示されている。
【０００６】
【発明が解決しようとする課題】
内視鏡管路に送気、送液する際、各種内視鏡管路のそれぞれに適切な流量、圧力で供給されているか否かを検出するのは困難であった。
【０００７】
本発明は上記事情に着目してなされたもので、その目的は、多種多様な内視鏡管路のそれぞれに供給される気体や液体の流通状態を簡単な構成で検出することができる内視鏡洗滌消毒装置を提供することにある。
【０００８】
【課題を解決するための手段】
請求項１の発明は、内視鏡の管路に接続される管路接続部を備え、前記内視鏡管路に洗滌消毒作業用の流体を流して前記内視鏡管路内を洗滌消毒可能な内視鏡洗滌消毒装置において、
前記内視鏡の管路に流す流体の流量設定値を読み取る読取手段と、
前記内視鏡の管路を流れる流体の流量を測定して流量測定値を得る測定手段と、
前記読取手段により読み取られた流量設定値と、前記測定手段により測定された流量測定値とを比較し、前記流量測定値が前記流量設定値を越えたか否かを判定する制御手段と、
を有することを特徴とする内視鏡洗滌消毒装置である。
そして、本請求項１の発明では、予め内視鏡に付されている内視鏡の管路構成、管路の流量や、圧力等の管路情報を読取手段で読み取り、このデータにもとづいて内視鏡の各管路に応じた流体の流量や、圧力の基準値を設定するとともに、内視鏡管路の洗滌消毒作業中は、測定手段によって内視鏡の各管路の流体の流量を測定し、この測定手段からの出力値と、読取手段からの読み取りデータにもとづいて設定された基準値とを各管路ごとに個別に比較演算することにより、制御手段によって流量が設定値の範囲以内か否かを判断して内視鏡管路への十分な送気・送液が行われている事を確実に確認し、この判断結果に基いて内視鏡の各管路の洗滌消毒作業用流体を制御するようにしたものである。
【０００９】
請求項２の発明は、前記流量測定値が前記流量設定値を越えたとき、その旨を告知する告知手段を有することを特徴とする請求項１に記載の内視鏡洗滌消毒装置である。
【００１０】
そして、本請求項２の発明では、測定手段で測定された流体の流量が設定値から外れていると判断された場合には告知手段によって内視鏡管路の流体の流量が設定値から外れている状態を告知するようにしたものである。
【００１１】
【発明の実施の形態】
以下、本発明の第１の実施の形態を図１乃至図９を参照して説明する。図１は本実施の形態の内視鏡洗滌消毒装置１とその洗滌消毒対象物である内視鏡２の概略構成をそれぞれ示すものである。また、図２は本実施の形態の内視鏡洗滌消毒装置１の洗滌消毒対象物である内視鏡２が組込まれた内視鏡装置３のシステム全体の概略構成を示すものである。
【００１２】
ここで、内視鏡２には体腔内に挿入される細長い挿入部４と、この挿入部４の基端部に連結された手元側の操作部５とが設けられている。さらに、操作部５にはユニバーサルコード６の一端部が連結されている。このユニバーサルコード６の他端部にはコネクタ部７が連結されている。
【００１３】
また、挿入部４の先端部には先端構成部８が設けられている。この先端構成部８の内部には観察光学系のＣＣＤ等の固体撮像素子が内蔵されている。さらに、操作部５及び挿入部４にはライトガイドケーブル（図示しない）が内挿されている。このライトガイドケーブルの一端側は先端構成部８の照明光学系に、他端側はユニバーサルコード６を介してコネクタ部７にそれぞれ接続されている。
【００１４】
また、図２に示すようにコネクタ部７は周辺機器の光源装置９に着脱可能に接続されている。さらに、コネクタ部７には信号ケーブル１０の一端が接続されている。この信号ケーブル１０の他端は画像処理装置１１に接続されている。ここで、信号ケーブル１０の一端には第１のコネクタ１２、他端には第２のコネクタ１３がそれぞれ設けられている。そして、信号ケーブル１０の第１のコネクタ１２が内視鏡２のコネクタ部７に、第２のコネクタ１３が画像処理装置１１にそれぞれ着脱可能に接続されている。これにより、信号ケーブル１０を介して内視鏡２と画像処理装置１１との間で信号の授受が行われるようになっている。
【００１５】
さらに、画像処理装置１１には電気ケーブル１４を介して観察用モニタ１５が接続されている。そして、画像処理装置１１からの映像信号が電気ケーブル１４を介して観察用モニタ１５に供給され、内視鏡画像として表示されるようになっている。
【００１６】
また、図３は内視鏡装置３のシステムにおける内視鏡２と画像処理装置１１との接続状態を示すブロック図である。ここで、内視鏡２の先端構成部８には観察光学系の対物レンズ１６及びＣＣＤ１７が配設されている。そして、対物レンズ１６によってＣＣＤ１７に被検体の内視鏡像が結像されるとともに、ＣＣＤ１７によって撮像された被検体の内視鏡像は電気信号に変換されてコネクタ部７側に出力されるようになっている。
【００１７】
さらに、内視鏡２の本体内には例えばＥＥＰＲＯＭまたはフラッシュＲＯＭなどの書き換え可能な不揮発性メモリ１９と、ＣＰＵ（中央処理装置）２０と、リセット回路２１とが内蔵されている。ここで、不揮発性メモリ１９は、内視鏡２の種類や、型番、管路情報等の内視鏡２に関する複数のデータを記録保持するメモリである。さらに、リセット回路２１は、電源電圧の変動、低下を検出してリセット信号を出力する電気回路である。
【００１８】
また、ＣＰＵ２０には、演算回路、ＲＯＭ（リード・オンリ・メモリ）、ＲＡＭ（ランダム・アクセス・メモリ）、パラレル通信ポート、シリアル通信ポート、Ａ／Ｄコンバータ、カウンタが内蔵されている。このＣＰＵ２０の内部のＲＯＭには、外部の接続機器、例えば画像処理装置１１や、洗滌消毒装置１を制御する為のプログラムが記録されている。そして、ＣＰＵ２０はこのプログラムに従ってメモリ１９へのデータの書き込み及び呼び出し処理、及びそのデータを画像処理装置１１や、洗滌消毒装置１へ送受信する処理を行うようになっている。
【００１９】
また、画像処理装置１１には、内視鏡用コネクタ２６と、モニタ用コネクタ２７と、ユーザーがこの画像処理装置１１を操作するための操作パネル２８とが設けられている。そして、内視鏡用コネクタ２６には、内視鏡２側の信号ケーブル１０の第２のコネクタ１３が着脱可能に接続され、画像処理装置１１と内視鏡２との間が電気的に接続されている。
【００２０】
さらに、モニタ用コネクタ２７には、モニタ１５側の電気ケーブル１４が接続されている。そして、画像処理装置１１と観察用モニタ１５との間が電気的に接続されている。
【００２１】
また、画像処理装置１１の本体内には、ＣＣＤ駆動電源２２と、映像信号処理／切換回路２３と、ＣＰＵ２４と、例えばＥＥＰＲＯＭまたはフラッシュＲＯＭなどの書き換え可能な不揮発性メモリ２５とが内蔵されている。ここで、ＣＣＤ駆動電源２２には信号ケーブル１０を介して内視鏡２内のＣＣＤ１７が接続され、このＣＣＤ駆動電源２２によってＣＣＤ１７が駆動されるようになっている。
【００２２】
さらに、映像信号処理／切換回路２３は、ＣＣＤ１７により光電変換された映像信号の画像処理及び日付け、患者データ等の文字信号の合成／切換えを行う電気回路である。なお、不揮発性メモリ２５は、内視鏡２より送られてきたデータを記録保持するメモリである。
【００２３】
また、ＣＰＵ２４には、演算回路、ＲＯＭ、ＲＡＭ、パラレル通信ポート、シリアル通信ポート、Ａ／Ｄコンバータ、カウンタが内蔵されている。このＣＰＵ２４には、映像信号処理／切換回路２３と、不揮発性メモリ２５と、内視鏡用コネクタ２６と、操作パネル２８とが接続されている。
【００２４】
さらに、ＣＰＵ２４の内部のＲＯＭには、画像処理装置１１を制御する為のプログラムが記録されている。そして、ＣＰＵ２４はこのプログラムに従って画像処理装置１１の制御を行うようになっている。これにより、内視鏡２のＣＣＤ１７側から信号ケーブル１０を経由して画像処理装置１１に送られる出力信号が映像信号処理／切換回路２３により処理されたのち、この映像信号処理／切換回路２３から出力される映像信号がコネクタ２７から電気ケーブル１４を介してモニタ１５に入力され、内視鏡２によって観察される内視鏡像がモニタ１５の画面に表示されるようになっている。
【００２５】
また、次の表１は、内視鏡２の内蔵メモリ１９に記憶される内視鏡２に関する複数のデータ内容のうち、管路情報の例を示すものである。
【００２６】
【表１】
0004633274.tif 000002
【００２７】
この表１に示す数値は仮の値である。例えば、スコープ型名がＡという十二指腸用内視鏡には、予め例えば吸引管路流量設定値が２．０Ｌ／ｍｉｎ、送気送水管路流量設定値が０．５Ｌ／ｍｉｎ、鉗子起上パイプ流量設定値が０．１Ｌ／ｍｉｎといった各管路送気流量設定値のデータ（上記数値は仮の例）が記憶される。
【００２８】
また、本実施の形態の内視鏡洗滌消毒装置１の本体には使用済の内視鏡２などの洗滌消毒対象物が設置される洗滌槽２９が設けられている。そして、図４に示すようにこの洗滌槽２９の中に洗滌・消毒対象の内視鏡２が設置されるようになっている。
【００２９】
また、洗滌槽２９の内底部には循環液吸引口３０および排液口３１が設けられている。さらに、この洗滌槽２９の内周面には、内視鏡用通信コネクタ（読取手段）３２と、吸引管路洗滌チューブ接続口３３と、送気送水管路洗滌チューブ接続口３４と、鉗子起上パイプ洗滌チューブ接続口３５とがそれぞれ配設されているとともに、給水口３６と消毒液注入口３７とが配設されている。
【００３０】
ここで、内視鏡用通信コネクタ３２には洗滌槽２９の内部に収容される内視鏡２の信号ケーブル１０の第２のコネクタ１３が接続されるようになっている。そして、内視鏡用通信コネクタ３２に信号ケーブル１０の第２のコネクタ１３が接続される状態にセットされることにより、内視鏡２と洗滌消毒装置１との間が電気的に接続され、内視鏡２と内視鏡洗滌消毒装置１との間で信号の授受が行えるようになっている。
【００３１】
また、給水口３６には給水管路３８の一端部が接続されている。この給水管路３８の他端部は給水弁３９を介して、例えば水道系等の給水源の蛇口４０に接続されている。
【００３２】
さらに、消毒液注入口３７には消毒液供給管路４１の一端が接続されている。この消毒液供給管路４１の他端は消毒液タンク４２の底部に接続されている。なお、この消毒液供給管路４１の途中には消毒液注入ポンプ４３が介設されている。
【００３３】
また、洗滌槽２９の内底部の循環液吸引口３０には内視鏡管路内洗滌消毒用管路４４の一端が接続されている。この内視鏡管路内洗滌消毒用管路４４の他端部側は３つの流路に分岐され、３つの分岐流路４４ａ，４４ｂ，４４ｃが形成されている。そして、分岐流路４４ａは吸引管路洗滌チューブ接続口３３、分岐流路４４ｂは送気送水管路洗滌チューブ接続口３４、分岐流路４４ｃは鉗子起上パイプ洗滌チューブ接続口３５にそれぞれ接続されている。
【００３４】
さらに、内視鏡管路内洗滌消毒用管路４４の途中には、内視鏡管路内洗滌消毒用ポンプ４５と、逆止弁４６と、流量センサー（測定手段）４７とが順次介設されている。なお、３つの分岐流路４４ａ，４４ｂ，４４ｃには洗滌消毒管路切換え電磁弁４８ａ，４８ｂ，４８ｃがそれぞれ設けられている。
【００３５】
また、内視鏡管路内洗滌消毒用管路４４における逆止弁４６と、流量センサー４７との間の流量センサー４７に通じる管路部分４９には逆止弁５０を介して、コンプレッサー５１に通じるエアー供給管路５２が接続されている。
【００３６】
さらに、吸引管路洗滌チューブ接続口３３には、内視鏡２の吸引管路洗滌消毒用洗滌チューブ（管路接続部）５３の一端部、送気送水管路洗滌チューブ接続口３４には、内視鏡の送気送水管路洗滌消毒用洗滌チューブ（管路接続部）５４の一端部、鉗子起上パイプ洗滌チューブ接続口３５には、内視鏡の鉗子起上パイプ洗滌消毒用洗滌チューブ（管路接続部）５５の一端部がそれぞれ接続されている。そして、送気送水管路洗滌消毒用洗滌チューブ５４の他端は洗滌槽２９内の内視鏡２の図５に示す管路構成の送気送水管路（内視鏡管路）５６に接続されている。また、吸引管路洗滌消毒用洗滌チューブ５３の他端は洗滌槽２９内の内視鏡２の図６に示す管路構成の吸引管路（内視鏡管路）５７に接続されるとともに、鉗子起上パイプ洗滌消毒用洗滌チューブ５５の他端は洗滌槽２９内の内視鏡２の図示しない鉗子起上パイプに接続されている。
【００３７】
また、内視鏡２の送気送水管路５６は図５に示す管路構成、吸引管路５７は図６に示す管路構成になっている。ここで、内視鏡２の挿入部４の先端構成部８には図５に示す送気送水ノズル５８と、図６に示すように内視鏡２の挿入部４の内部に配設された吸引管路を兼ねる処置具挿通チャンネル５９の先端開口部５９ａとが設けられている。さらに、内視鏡２の挿入部４の内部には２つの送気送水管路６０，６１（挿入部側送水管路６０と挿入部側送気管路６１）が配設されている。これらの送気送水管路６０，６１の先端部は送気送水ノズル５８に連結されている。
【００３８】
また、内視鏡２の手元側の操作部５には送気送水管路ボタンシリンダ６２と、吸引シリンダ６３と、処置具挿入口部６４とが設けられている。そして、処置具挿通チャンネル５９の基端部は分岐され、一方の管路５９ｂ１は処置具挿入口部６４に連結され、他方の管路５９ｂ２は吸引シリンダ６３に連結されている。さらに、２つの送気送水管路６０，６１の基端部は送気送水管路ボタンシリンダ６２の周壁面にそれぞれ連結されている。
【００３９】
また、ユニバーサルコード６のコネクタ部７の外周面には送気送水用の２つの口金６５ａ，６５ｂと、１つの吸引口金６７とが設けられている。さらに、ユニバーサルコード６の内部には送気送水用の２つのユニバーサルコード側管路６８，６９（ユニバーサルコード側送水管路６８とユニバーサルコード側送気管路６９）と、１つのユニバーサルコード側吸引管路７０とが設けられている。ここで、一方の送気送水用の管路６８の一端部は口金６５ａに、また他方の送気送水用の管路６９の一端部は口金６５ｂにそれぞれ連結されている。さらに、コネクタ部７の先端面にはユニバーサルコード側管路６９に連通する１つの送気送水用の口金６６が突設されている。
【００４０】
また、ユニバーサルコード６の送気送水用の管路６８，６９の他端部は送気送水管路ボタンシリンダ６２にそれぞれ連結されている。ここで、一方の送気送水用の管路６８は送気送水管路ボタンシリンダ６２の内底部に連結され、他方の送気送水用の管路６９は送気送水管路ボタンシリンダ６２の周壁面に連結されている。そして、送気送水管路ボタンシリンダ６２の内部に挿入される図示しない送気送水管路切換えボタンの操作によって図５に示す送気送水管路５６の切換え操作が行われるようになっている。
【００４１】
さらに、ユニバーサルコード側吸引管路７０の一端部は吸引口金６７に連結され、このユニバーサルコード側吸引管路７０の他端部は吸引シリンダ６３に連結されている。そして、この吸引シリンダ６３の内部に挿入される図示しない吸引切換えボタンの操作によって図６に示す吸引管路５７の切換え操作が行われるようになっている。
【００４２】
また、送気送水管路洗滌消毒用洗滌チューブ５４の内視鏡接続部７１には、図５に示すように送気送水管路ボタンシリンダ６２の内部に挿入される送気送水シリンダ挿入部７２と、吸引シリンダ６３の内部に挿入される吸引シリンダ挿入部７３とが設けられている。ここで、送気送水シリンダ挿入部７２の先端部外周面にはリング状のパッキン７４が装着されている。このパッキン７４は内視鏡２の送気送水管路ボタンシリンダ６２の内周面に圧接され、この送気送水管路ボタンシリンダ６２の内部を２つの空間に区切っている。そして、洗滌チューブ５４をシリンダ６２に接続した状態ではこのパッキン７４により、洗滌チューブ５４はシリンダ６２の内部における送気送水用の管路６８側と連通すると同時に、シリンダ６２に接続されたその他の送気送水用の管路６０，６１，６９側には連通しない状態で保持されるようになっている。
【００４３】
また、図５に示す送気送水管路５６の洗滌消毒時には送気送水管路洗滌消毒用洗滌チューブ５４とともに、ユニバーサルコード側送水管路６８とユニバーサルコード側送気管路６９との間を連結するバイパスチューブ７５が使用されるようになっている。このバイパスチューブ７５の一端部にはユニバーサルコード６のコネクタ部７の外周面の送気送水用の２つの口金６５ａ，６５ｂに連結される第１の口金連結部７６、他端部にはコネクタ部７の先端面の送気送水用の口金６６に連結される第２の口金連結部７７がそれぞれ設けられている。
【００４４】
そして、内視鏡２の送気送水管路５６の洗滌消毒時には図５に示すように送気送水管路洗滌消毒用洗滌チューブ５４の内視鏡接続部７１が内視鏡２の手元側の操作部５に装着されるとともに、バイパスチューブ７５がユニバーサルコード６のコネクタ部７に装着された状態で、洗滌消毒装置１から送水管路洗滌消毒用洗滌チューブ５４を通して洗滌液、または消毒液、またはエアーなどが内視鏡２の送気送水管路５６に送られるようになっている。このとき、チューブ５４より洗滌液等が送られると、図５中に矢印で示すように、まず、ユニバーサルコード側送水管路６８に導かれる。このユニバーサルコード６のコネクタ部７には、バイパスチューブ７５が接続されており、このバイパスチューブ７５によりユニバーサルコード側送水管路６８とユニバーサルコード側送気管路６９とが連通している。そのため、ユニバーサルコード側送水管路６８を通過してきた洗滌液等は、このバイパスチューブ７５を介して、ユニバーサルコード側送気管路６９へと導かれ、送気送水管路ボタンシリンダ６２へ戻る。さらに、送気送水管路ボタンシリンダ６２に戻ってきた洗滌液等は、挿入部側送水管路６０と挿入部側送気管路６１へと導かれ、内視鏡２の挿入部４内を通って、内視鏡先端部の送気送水ノズル５８から内視鏡２の外部へと抜けていく。
【００４５】
したがって、上記のようにエアー、洗滌液、消毒液等を内視鏡２の送気送液管路５６へ送気送液することにより、見かけ上、ほぼ一本道の管路が構成されるので、内視鏡２の送気送水管路５６の流量を精度良く検知することができる。つまり、内視鏡２の送気送液管路５６の流量が減少している場合には、予め内視鏡２から読み取った送気量に比べ実際に自動洗滌消毒装置１が内視鏡へ送気している送気量が低くなる。そこで、自動洗滌消毒装置１にセットされた内視鏡２へ供給するエアーの流量を内視鏡管路内洗滌消毒用管路４４に設置されている流量センサー４７を用いて、内視鏡２へ送気している送気量を測定する。そして、この送気量と予め内視鏡２から読み取った送気量の設定値とを装置１が比較することにより、内視鏡２の送気送水管路５６の流量が設定値の範囲外の状態（流量が減少している状態）を検知することができる。
【００４６】
また、吸引管路洗滌消毒用洗滌チューブ５３の内視鏡接続部７８には、内視鏡２の手元側の操作部５の処置具挿入口部６４に着脱可能に連結される口金連結部７９が設けられている。そして、吸引管路洗滌消毒用洗滌チューブ５３の口金連結部７９が処置具挿入口部６４に連結されることにより、吸引管路洗滌消毒用洗滌チューブ５３が洗滌槽２９内の内視鏡２の吸引管路５７に接続されるようになっている。
【００４７】
また、内視鏡２の吸引管路５７の洗滌消毒時には図６に示すように吸引管路洗滌消毒用洗滌チューブ５３が内視鏡２の吸引管路５７に接続されるとともに、送水管路洗滌消毒用洗滌チューブ５４の内視鏡接続部７１が内視鏡２の手元側の操作部５に装着される。そして、この状態で、洗滌消毒装置１から吸引管路洗滌消毒用洗滌チューブ５３を通して洗滌液、または消毒液、またはエアーなどが内視鏡２の吸引管路５７へ送られるようになっている。このとき、吸引管路洗滌消毒用洗滌チューブ５３から処置具挿入口部６４に送られた洗滌液等は処置具挿通チャンネル５９の分岐管路５９ｂ１からこの管路５９ｂ１と５９ｂ２との間の連結部で分岐され、図６中に矢印で示すように、先端開口部５９ａ側へ向かう流れと、吸引シリンダ６３側に向かう流れとに分流される。そして、先端開口部５９ａ側へ向かう洗滌液等の流れは先端開口部５９ａから外部に流出される。
【００４８】
また、内視鏡２の吸引シリンダ６３の開口部には送気送水管路洗滌消毒用洗滌チューブ５４の内視鏡接続部７１における吸引シリンダ挿入部７３が接続され、吸引シリンダ６３の開口部が塞がれている。そのため、吸引シリンダ６３側に向かう洗滌液等の流れは吸引シリンダ６３内を経てユニバーサルコード側吸引管路７０側に流入され、このユニバーサルコード側吸引管路７０を経て吸引口金６７から外部へ流出される。
【００４９】
上記のように吸引管路洗滌消毒用洗滌チューブ５３よりエアーを内視鏡２の吸引管路５７へ送気し、その流量を測定して、予め内視鏡２から読み取った送気量の設定値と比較することにより、内視鏡２の吸引管路５７の流量が設定値の範囲外の状態を検知することができる。
【００５０】
なお、鉗子起上パイプ洗滌消毒用洗滌チューブ５５の内視鏡接続部８０は洗滌槽２９内の内視鏡２の図示しない鉗子起上パイプに接続されている。ここで、図示しない鉗子起上パイプは入口と出口の２ヶ所に開口部がある１本の管路構成になっている。そのため、鉗子起上パイプの洗滌消毒時には鉗子起上パイプ洗滌消毒用洗滌チューブ５５の内視鏡接続部８０を洗滌槽２９内の内視鏡２の図示しない鉗子起上パイプに接続した状態で、鉗子起上パイプ洗滌消毒用洗滌チューブ５５を通して洗滌液、または消毒液、またはエアーなどが内視鏡２の鉗子起上パイプへ送られるようになっている。このとき、鉗子起上パイプのどこかが詰まっている場合には、鉗子起上パイプ洗滌消毒用洗滌チューブ５５より送気されたエアーの流量を測定し、送気量の設定値と比較する事で容易に管路の流量が設定値の範囲外の状態を検知できる。
【００５１】
また、洗滌槽２９の排液口３１には管路切換弁８１の流入ポート８１ａが連結されている。この管路切換弁８１には１つの流入ポート８１ａと、２つの流出ポート８１ｂ，８１ｃとが設けられている。ここで、管路切換弁８１の一方の流出ポート８１ｂには回収管路８２の一端部が連結されている。この回収管路８２の他端部は消毒液タンク４２の上部に連結されている。
【００５２】
さらに、管路切換弁８１の他方の流出ポート８１ｃには排液管路８３の一端部が連結されている。この排液管路８３の途中には排液ポンプ８４が介設されている。
【００５３】
また、管路切換弁８１は排液口３１を閉塞遮断する状態と、排液口３１を回収管路８２に連通させる状態と、排液口３１を排液管路８３に連通させる状態のいずれかに切換えるものである。そして、管路切換弁８１を排液管路８３側へ切換えて排液ポンプ８４を運転する事により洗滌槽２９内の液体を内視鏡洗滌消毒装置１の外へ排出するようになっている。
【００５４】
また、図７はユーザーが本実施の形態の内視鏡洗滌消毒装置１を操作するための操作パネル８５を示すものである。この操作パネル８５にはプログラム選択ボタン８６と、洗滌消毒工程始動ボタン８７と、停止ボタン８８と、複数の付加機能ボタン８９ａ〜８９ｆと、洗滌時間表示部９０と、消毒時間表示部９１と、メッセージコード表示部（告知手段）９２と、消毒液温度表示部９３とが配設されている。なお、付加機能ボタン８９ａ〜８９ｆには機能チェックボタン８９ａと、漏水検知ボタン８９ｂと、アルコールフラッシュボタン８９ｃと、送気ボタン８９ｄと、消毒液加温ボタン８９ｅと、洗濯すすぎボタン８９ｆとがそれぞれ設けられている。
【００５５】
この操作パネル８５の操作時には、プログラム選択ボタン８６によって選択された工程の洗滌時間と、消毒時間とが洗滌時間表示部９０、消毒時間表示部９１にそれぞれ表示される。その後、洗滌消毒工程始動ボタン８７を押して工程を開始するようになっている。
【００５６】
また、消毒液温度表示部９３には内視鏡洗滌消毒装置１に貯蔵されている消毒液の温度が表示されるようになっている。さらに、付加機能ボタン８９ａ〜８９ｆを選択して押す事で洗滌消毒工程以外で、内部管路での流量を測定する工程や、内視鏡洗滌消毒装置１の貯蔵の消毒液を設定温度まで加温する消毒液加温工程などの付加機能を実行できる。
【００５７】
また、停止ボタン８８を押す事で、洗滌消毒工程や付加機能工程を途中で中止することができる。なお、内視鏡洗滌消毒装置１には、使用者に告知すべき（動作）状態をユーザーに報知する図８に示す告知ブザー（告知手段）９４が内蔵されている。そして、管路の流量に関する情報以外に、工程の途中で使用者に告知すべき情報がある場合には、告知ブザー９４が鳴り、メッセージコード表示部９２にメッセージコードが表示される事で、使用者に告知すべき（動作）状態を告知する。ここで、表示されるメッセージコードは次の表２のメッセージコード表に従って決められる。
【００５８】
【表２】
0004633274.tif 000003
【００５９】
また、図８は、本実施の形態の内視鏡洗滌消毒装置１の制御を行う制御部９５の概略構成を示すブロック図である。この制御部９５には内視鏡洗滌消毒装置１内の機器の制御を司るＣＰＵ（制御手段）９６が設けられている。このＣＰＵ９６には、図示しない演算回路、ＲＯＭ、ＲＡＭ、パラレル通信ポート、シリアル通信ポート、Ａ／Ｄコンバータ、カウンタが内蔵されている。
【００６０】
さらに、ＣＰＵ９６には、アナログ回路９７と、デジタル式センサ９８と、ドライバ９９と、操作パネル８５と、リセット回路１００と、内視鏡用通信コネクタ３２とがそれぞれ接続されている。ここで、アナログ回路９７には内視鏡洗滌消毒装置１内の機器の状態を監視し、連続的な電気信号に変換するアナログ式センサ１０１が接続されている。そして、アナログ回路９７ではアナログ式センサ１０１からの出力を増幅してＣＰＵ９６に供給するようになっている。
【００６１】
また、デジタル式センサ９８は、内視鏡洗滌消毒装置１内の機器の状態を監視し、二値化した電気信号をＣＰＵ９６に出力するセンサである。さらに、ドライバ９９には告知ブザー９４および内視鏡洗滌消毒装置１内の弁／ポンプ類１０２が接続されている。そして、ドライバ９９から出力される制御信号によって告知ブザー９４および内視鏡洗滌消毒装置１内の弁／ポンプ類１０２が駆動されるようになっている。
【００６２】
また、リセット回路１００は、電源電圧の変動、低下を検出してリセット信号を出力する電気回路である。さらに、ＣＰＵ９６の内部のＲＯＭには、内視鏡洗滌消毒装置１内の機器を制御する為のプログラムが記録されている。そして、ＣＰＵ９６はこのプログラムに従って内視鏡２の洗滌消毒工程を行うようになっている。
【００６３】
次に、上記構成の本実施の形態の内視鏡洗滌消毒装置１の作用について説明する。内視鏡２の検査終了後、使用済みの内視鏡２の汚れを洗滌するために、使用する毎にその外表面及び内部管路を洗滌消毒する必要がある。
【００６４】
この内視鏡２の洗滌消毒作業時には、まず、検査に使用された使用済みの内視鏡２を洗滌槽２９内にセットする。このとき、洗滌チューブ５３，５４，５５を用いて、内視鏡２の送気送水管路５６、吸引管路５７および図示しない鉗子起上パイプの各管路口部と内視鏡洗滌消毒装置１側の接続口３３，３４，３５とを連結する。さらに、内視鏡２にバイパスチューブ７５を接続し、この内視鏡２のユニバーサルコード側送水管路６８とユニバーサルコード側送気管路６９との間を連通する。続いて、通信ケーブル１０を用いて内視鏡２と内視鏡洗滌消毒装置１側の内視鏡通信コネクタ３２との間を電気的に接続させる。
【００６５】
その後、内視鏡洗滌消毒装置１の操作パネル８５上のプログラム選択ボタン８６で洗滌消毒工程の内容を選択し、洗滌消毒工程の始動ボタン８７を押すと、設定された条件にしたがって、洗滌、消毒、すすぎ、送気の各工程が行われる。このとき、内視鏡洗滌消毒装置１は図９に示すフローチャートに従って内視鏡２の洗滌消毒工程を次の通り実行する。
【００６６】
まず、ステップＳ１で、内視鏡洗滌消毒装置１内にセットされた内視鏡２と内視鏡洗滌消毒装置１との間で通信が行えるか否かが判断される。このとき、仮に、通信ケーブル１０が接続されていない場合には、通信が正しく行われない。そして、このように内視鏡２に記憶されたデータを内視鏡洗滌消毒装置１のＣＰＵ９６で読み込む事ができない場合には次のステップＳ２に進む。このステップＳ２では内視鏡洗滌消毒装置１の内蔵の告知ブザー９４が鳴り、メッセージコード表示部９２にメッセージコードＥ９０が表示される。このとき、メッセージコード表の内容に対応させ、“Ｅ９０”というメッセージコードを操作パネル８５のメッセージコード表示部９２に表示することでユーザーに内視鏡の接続がなされていないことが告知される。そして、内視鏡２の洗滌消毒工程が中止され、ユーザーに通信コネクタ３２が接続されているか等の確認作業を行ってもらうようになっている。
【００６７】
また、ステップＳ１で、内視鏡２と内視鏡洗滌消毒装置１との間で通信が使用者に告知の必要が無い状態で行われた場合（使用者に告知すべき状態が発生しない場合）には次のステップＳ３に進む。このステップＳ３では内視鏡洗滌消毒装置１のＣＰＵ９６は内視鏡用通信コネクタ３２及び通信ケーブル１０を介して、内視鏡２内のＣＰＵ２０と通信をおこなって、メモリ１９内のデータを読み取る処理を行う。このときの読み取りデータの内容としては、内視鏡２の種類、型番、管路情報等である。そして、内視鏡洗滌消毒装置１のＣＰＵ９６は洗滌槽２９内にセットされた内視鏡２の種類をこの通信を通じて認識すると共に、この内視鏡２の送気送水管路５６、吸引管路５７および図示しない鉗子起上パイプの各管路の送気量の設定値のデータも認識する。なお、Ｘは吸引管路５７の送気量の設定値、Ｙは送気送水管路５６の送気量の設定値、Ｚは鉗子起上パイプの送気量の設定値である。
【００６８】
また、通信が行われた後に、次のステップＳ４の洗滌工程に進む。このステップＳ４の洗滌工程では給水弁３９が開き、水道蛇口４０から洗滌水が給水管路３８及び給水口３６を通じて洗滌槽２９内へ供給される。そして、洗滌槽２９内への給水により、貯水量が指定水位に達した時点で、給水弁３９が閉じられ、洗滌作業が開始される。
【００６９】
この洗滌作業時には内視鏡洗滌消毒装置１の洗滌消毒管路切換え電磁弁４８ａ，４８ｂ，４８ｃと内視鏡管路内洗滌消毒用ポンプ４５とを動作させる。そして、ポンプ４５の駆動にともない洗滌槽２９の内部の洗滌液が循環液吸引口３０から内視鏡管路内洗滌消毒用管路４４内に吸引されるとともに、このポンプ４５から吐出される高圧な洗滌液が内視鏡管路内洗滌消毒用管路４４から逆止弁４６、流量センサー４７、３つの分岐流路４４ａ，４４ｂ，４４ｃを経て吸引管路洗滌消毒用洗滌チューブ５３、送気送水管路洗滌消毒用洗滌チューブ５４、鉗子起上パイプ洗滌消毒用洗滌チューブ５５にそれぞれ供給され、さらにこれらの各チューブ５３，５４，５５から内視鏡２の送気送水管路５６、吸引管路５７および図示しない鉗子起上パイプの各管路内に供給されて、この内視鏡２の各管路内の洗滌が行われる。つまり、内視鏡管路内洗滌消毒用管路４４を通じて洗滌槽２９内の洗滌水を循環させ、内視鏡２の各管路内を洗滌する。
【００７０】
この洗滌作業が終了すると、次のステップＳ５のすすぎ工程に進む。このステップＳ５のすすぎ工程では管路切換弁８１が排液ポジションに移動され、同時に排液ポンプ８４が駆動される。この排液ポンプ８４の駆動にともない洗滌槽２９の内部の洗滌液が排液口３１から管路切換弁８１を経て排液管路８３側に吸引され、この排液管路８３を通して外部に廃棄される。
【００７１】
また、このすすぎ工程の後半ではコンプレッサー５１の運転が開始される。そして、このコンプレッサー５１から吹き出される高圧なエアーはエアー供給管路５２を通し、逆止弁５０、流量センサー４７および３つの分岐流路４４ａ，４４ｂ，４４ｃを順次介して洗滌チューブ５３，５４，５５に供給され、さらに各洗滌チューブ５３，５４，５５を通じて内視鏡２の各管路内ヘエアーが供給され、内視鏡２の管路内の水切りが行われる。
【００７２】
この管路内の水切り作業中、次のステップＳ６の内視鏡２の各管路のエアーの流量測定が行われる。このステップＳ６の流量測定では洗滌消毒管路切換え電磁弁４８ａ，４８ｂ，４８ｃを動作させ、各管路に個別に送気させる。そして、各管路毎に個別に流量センサー４７の出力を読み取ることで、内視鏡２の送気送水管路５６、吸引管路５７および図示しない鉗子起上パイプの各管路のそれぞれのエアーの流量測定を行う。
【００７３】
例えば、電磁弁４８ａを開け、電磁弁４８ｂ，４８ｃを閉じた状態で送気を行う事で内視鏡２の吸引管路５７にのみ送気が行われ、この時の流量センサー４７の出力を読み取ることで内視鏡２の吸引管路５７の送気流量の測定が行われる。
【００７４】
続けて、電磁弁４８ｂを開け、電磁弁４８ａ，４８ｃを閉じる位置に切換えた状態で、同様に送気を行う事で内視鏡２の送気送水管路５６のみ送気が行われ、この時の流量センサー４７の出力を読み取ることで内視鏡２の送気送水管路５６の送気流量の測定が行われる。
【００７５】
さらに、電磁弁４８ｃを開け、電磁弁４８ａ，４８ｂを閉じる位置に切換えた状態で、同様に送気を行う事で内視鏡２の鉗子起上パイプのみ送気が行われ、この時の流量センサー４７の出力を読み取ることで内視鏡２の鉗子起上パイプの送気流量の測定が行われる。
【００７６】
なお、ｘはこのとき測定された吸引管路５７のエアー流量の実測値、ｙは送気送水管路５６のエアー流量の実測値、ｚは鉗子起上パイプのエアー流量の実測値である。
【００７７】
さらに、内視鏡２の各管路のエアーの流量測定後、次のステップＳ７の演算処理が行われる。ここでは、流量センサー４７で測定された内視鏡２の各管路のエアー流量の測定データ（ｘ，ｙ，ｚ）と、予め内視鏡２から通信によって得られた内視鏡２の各管路の送気量の設定値（Ｘ，Ｙ，Ｚ）とを比較し、管路の流量が設定値の範囲内の状態（内視鏡管路である送気送水管路５６、吸引管路５７および鉗子起上パイプへの十分な送気・送液が行われている状態）か、管路の流量が設定値の範囲外の状態であるかを判定する。
【００７８】
この比較判定方法は次の演算式に従って二者の比率を算出し、その演算結果の比率がある一定の設定範囲内に収まれば使用者に告知の必要が無い（動作）状態とし、その範囲を逸脱した場合を使用者に告知すべき（動作）状態とする。
演算式：（実測した送気流量）÷（流量が設定値の範囲内の時の送気流量）×１００
なお、Ａはこのとき演算された吸引管路５７の送気量の設定値Ｘとエアー流量の実測値ｘとの比率、Ｂは送気送水管路５６の送気量の設定値Ｙとエアー流量の実測値ｙとの比率、Ｃは鉗子起上パイプにおける送気量の設定値Ｚとエアー流量の実測値ｚとの比率である。
【００７９】
ここで、演算結果の比率における管路流量の設定値の範囲を例えば８０％〜１２０％に設定する。そして、通信によって得られた内視鏡２の吸引管路５７の送気量の設定値が例えば２．３Ｌ／ｍｉｎの場合に、測定された送気量が例えば２．０Ｌ／ｍｉｎである場合には、演算結果の比率が約８７％となり、管路の流量が設定値の範囲内にあるので、使用者に告知の必要が無い（動作）状態と判断する。
【００８０】
また、例えば、管路の送気量の設定値が２．３Ｌ／ｍｉｎに対し、測定された送気量が１．２Ｌ／ｍｉｎであれば、演算結果の比率Ａが約５３％となる。この場合には、演算結果である比率Ａが使用者に告知の必要が無い（動作）状態の設定範囲を下方に外れるので、管路が詰まっていたり、コンプレッサー５１が正しく動作していない状態、或いは洗滌チューブ５３、５４、５５の付け忘れなどの原因により内視鏡管路への送気が不足していると判断され、使用者に告知すべき（動作）状態と判断される。
【００８１】
さらに、例えば、管路の送気量の設定値が２．３Ｌ／ｍｉｎであるのに対し、測定された送気量が、５．０Ｌ／ｍｉｎであれば、演算結果が約２１７％となる。この場合には、演算結果が設定値の範囲を上方に外れるので、洗滌チューブ５３、５４、５５が外れていたり、洗滌消毒装置１内の管路が外れたり、漏れたりしていると判断され、使用者に告知すべき（動作）状態と判断される。
【００８２】
このように、内視鏡管路の送気量の設定値と測定された内視鏡管路の送気量との比較を各管路ごとに行う。そして、内視鏡２の各管路の内、１本でも管路の流量が設定値の範囲外の状態と判断された場合は、洗滌消毒工程を中止して使用者に告知すべき（動作）状態の告知を行う。
【００８３】
すなわち、ステップＳ８では、内視鏡２の各管路毎の演算結果の比率（Ａ，Ｂ，Ｃ）が使用者に告知の必要が無い（動作）状態の設定範囲の下限値である８０％よりも大きい（Ａ＞８０％，Ｂ＞８０％，Ｃ＞８０％）か否かが判断される。このステップＳ８で、演算結果の比率（Ａ，Ｂ，Ｃ）が使用者に告知の必要が無い（動作）状態の設定範囲の下限値である８０％よりも小さい場合（使用者に告知すべき（動作）状態が発生した場合）には次のステップＳ９に進む。このステップＳ９では内視鏡洗滌消毒装置１の内蔵の告知ブザー９４を鳴らすと共に、操作パネル８５のメッセージコード表示部９２に表２のメッセージコード表に従って演算結果が使用者に告知の必要が無い（動作）状態の範囲を下方に外れている状態を表す“Ｅ９１”の文字のメッセージコードが表示される。これにより、使用者に告知すべき（動作）状態の発生とその内容についての告知が行われる。
【００８４】
また、ステップＳ８で、演算結果の比率（Ａ，Ｂ，Ｃ）が使用者に告知の必要が無い（動作）状態の設定範囲の下限値である８０％よりも大きい場合（使用者に告知すべき（動作）状態が発生しない場合）には次のステップＳ１０に進む。このステップＳ１０では内視鏡２の各管路毎の演算結果の比率（Ａ，Ｂ，Ｃ）が使用者に告知の必要が無い（動作）状態の設定範囲の上限値である１２０％よりも小さい（Ａ＜１２０％，Ｂ＜１２０％，Ｃ＜１２０％）か否かが判断される。このステップＳ１０で、演算結果の比率（Ａ，Ｂ，Ｃ）が使用者に告知の必要が無い（動作）状態の設定範囲の上限値である１２０％よりも大きい場合（使用者に告知すべき（動作）状態が発生した場合）には次のステップＳ１１に進む。このステップＳ１１では内視鏡洗滌消毒装置１の内蔵の告知ブザー９４を鳴らすと共に、操作パネル８５のメッセージコード表示部９２に表２のメッセージコード表に従って演算結果が使用者に告知の必要が無い（動作）状態の範囲を上方に外れている状態を表す“Ｅ９２”の文字のメッセージコードが表示される。これにより、使用者に告知すべき（動作）状態の発生とその内容についての告知が行われる。
【００８５】
また、全ての内視鏡各管路への送気量が使用者に告知の必要が無い（動作）状態と判断されれば、内視鏡各管路に十分な洗滌が行われたと判断し、次工程であるステップＳ１２の消毒工程へと移行する。
【００８６】
ここで、使用者に告知すべき（動作）状態が無い場合は続いて消毒工程に入る。この消毒工程では、始めに消毒液注入ポンプ４３の運転により消毒液タンク４２内の消毒液が消毒液供給管路４１を通じて消毒液注入口３７から洗滌槽２９内に注入される。そして、洗滌槽２９内の消毒液の貯留量が指定水位に達すると内視鏡２の全体はその消毒液中に完全に浸漬される。この消毒液中の浸漬により、内視鏡２の外表面の消毒が行われる。
【００８７】
これと同時に、内視鏡管路内洗滌消毒用ポンプ４５を運転させることにより洗滌槽２９内の消毒液を吸引して洗滌チューブ５３，５４，５５を通じて内視鏡２の各管路内に送液する事で、その管路内の消毒が行われる。このようにして、内視鏡２の外表面および各管路内の消毒がなされる。
【００８８】
さらに、この消毒工程の開始後、所定の消毒時間が経過すると内視鏡管路洗滌消毒用ポンプ４５の運転が停止し、管路切換弁８１が消毒液回収ポジションに切り替わる。この状態では、消毒液タンク４２と洗滌槽２９の排液口３１との間が連通し、消毒液が洗滌槽２９から排出され、消毒液タンク４２内に回収される。
【００８９】
この後、上述した洗滌工程での動作と同様に、ステップＳ１３のすすぎ工程と、その後半においてコンプレッサー５１の運転が行われ、内視鏡２の各管路内ヘエアーの供給によりステップＳ１４の水切り送気工程が行われる。以上の各工程により内視鏡２の洗滌消毒が行われる。
【００９０】
そこで、上記構成のものにあっては次の効果を奏する。すなわち、本実施の形態の内視鏡洗滌消毒装置１では内視鏡２の洗滌消毒作業時に、使用済みの内視鏡２を洗滌槽２９内にセットした状態で、内視鏡２に記憶されたデータを内視鏡洗滌消毒装置１のＣＰＵ９６で読み込むとともに、内視鏡２の洗滌消毒作業中、内視鏡２の各管路のエアーの流量測定が行われる。そして、内視鏡２の各管路のエアーの流量測定後、流量センサー４７で測定された内視鏡２の各管路のエアー流量の測定データ（ｘ，ｙ，ｚ）と、予め内視鏡２から通信によって得られた内視鏡２の送気量の設定値（Ｘ，Ｙ，Ｚ）とを比較し、流量が設定値の範囲以内か否かを判定する演算処理を行い、内視鏡２の各管路の内、１本でも流量が設定値の範囲外と判断された場合は、洗滌消毒工程を中止して内視鏡洗滌消毒装置１の内蔵の告知ブザー９４を鳴らすと共に、操作パネル８５のメッセージコード表示部９２にメッセージコードを表示させることにより、使用者に告知すべき（動作）状態の発生とその内容についての告知を行うようにしたものである。そのため、本実施の形態の内視鏡洗滌消毒装置１では、多種多様な内視鏡２の各管路の状態や、内視鏡洗滌消毒装置１内のコンプレッサー５１、ポンプなどの使用者に告知すべき（動作）状態、洗滌チューブ５３、５４、５５の外れ等を正確、且つ、簡単な構成で検出することができ、適切な内視鏡２の洗滌消毒を行うことができる。
【００９１】
なお、上記実施の形態ではエアーによって内視鏡管路の流量が設定値の範囲外の状態や、内視鏡洗滌消毒装置１内のコンプレッサー５１の使用者に告知すべき（動作）状態、洗滌チューブ５３、５４、５５の外れを検知しているが、合わせて内視鏡管路内洗滌消毒用管路４４を流れる洗滌水や、消毒液の流量を測定し、その管路の流量が設定値の範囲内の時の流量を予め内視鏡２のＣＰＵ２０に記憶させておき、内視鏡洗滌消毒工程時に両者を比較しても良い。この場合は、内視鏡管路内洗滌消毒用管路４４や、内視鏡管路内洗滌消毒用ポンプ４５の使用者に告知すべき（動作）状態も検知できる。
【００９２】
また、上記実施の形態では流量センサー４７を用いて流量測定を行っているが、この代わりに圧力計を用いて圧力測定を行い、圧力データで使用者に告知すべき（動作）状態の検知を行っても良い。
【００９３】
さらに、本実施の形態では洗滌終了時の送気時に流量測定し、管路の流量が設定値の範囲外か否かの検知を行っているが、洗滌消毒工程の開始後、すぐに内視鏡管路内に送気を行って管路の流量が設定値の範囲外か否かの判断を即座に行っても良いことは勿論である。また、この測定を“内視鏡管路の流量の減少チェック”として独立した付加機能として行えるようにしても良い。
【００９４】
また、上記実施の形態では洗滌槽２９の内部にセットされた内視鏡２と内視鏡洗滌消毒装置１との間で通信が出来ない場合は洗滌消毒工程を中止してユーザーへの告知を行っているが、洗滌消毒工程を中止せずに予め別に設定された流量が設定値の範囲外の場合用の特別な洗滌消毒工程を行い、この特別な洗滌消毒工程の終了時にユーザーに内視鏡管路の流量の減少チェックが行われていない事を告知しても良い。
【００９５】
この告知方法はメッセージコード表の内容に従ってＥ９３というメッセージコードを操作パネル８５のメッセージコード表示部９２に表示してもよい。または、操作パネル８５に管路の流量減少の検知未確認というＬＥＤや、ランプ等を具備させてこれを点灯させても良い。
【００９６】
また、逆に、管路の流量減少の検知確認済みというＬＥＤまたはランプ等を具備して、管路の流量減少が無い場合に点灯させて、管路の流量減少検知を行わなかった場合は消灯させる方法でも良いことは勿論である。
【００９７】
また、上記実施の形態では内視鏡管路の流量が設定値から外れていることが原因と予測される使用者に告知すべき（動作）状態を検知した場合、すぐに洗滌消毒工程を中止してユーザーへの告知を行っているが、洗滌工程を追加して流量が設定値から外れている状態の除去を試み、その追加洗滌工程後にもう一度、管路の流量減少の検知を行い、流量が設定値の範囲外の状態が除去されたか確認するようにしても良い。このとき、追加の洗滌工程は流量を設定値とする目的で管路への洗滌水の送液圧を上げたり、気液二相流方式で行うなど特別なプログラムが行われるようにしても良い。そして追加洗滌の後に、流量を設定値にできれば洗滌工程の後の工程を設定通りに行い、流量を設定値の範囲内にできなければ使用者に告知すべき（動作）状態を告知するようにする。
【００９８】
また、内視鏡管路の流量が設定値から外れている状態が発見されても、設定通りの工程を続け、洗滌消毒工程を全て行ってから使用者に告知すべき（動作）状態を告知しても良い。この場合、外表面や、流量が設定値から外れている状態が無い管路に対しては洗滌消毒が行われる。
【００９９】
また、上記実施の形態では内視鏡管路情報の確認を内視鏡２と内視鏡洗滌消毒装置１との間を通信ケーブル１０で接続して行っているが、これに限らず赤外線や、磁気を用いた通信によるもの等、本発明の要旨を逸脱しない範囲で様々な方式が考えられる。
【０１００】
また、内視鏡２の種類や、管路情報をバーコード化して内視鏡２にバーコードを具備させて、このバーコードを内視鏡洗滌消毒装置１にバーコードリーダーを具備させて読み込ませる構成にしてもよい。さらに、ユーザーが予め内視鏡２の種類を内視鏡洗滌消毒装置１のパネル上で入力したり、選択したり出来るようにする事も可能である。
【０１０１】
また、本実施の形態ではメッセージコードを表示する事で使用者に告知すべき（動作）状態の告知を行っているが、液晶パネルや、モニターや、プリンター等を内視鏡洗滌消毒装置１に設けて、エラー内容や、使用者に告知すべき（動作）状態の原因、その対応方法等を文章で表示、または印字させても良い。さらに、洗滌消毒工程が設定通り使用者に告知すべき（動作）状態が無く行われた場合も毎回、洗滌消毒した内視鏡２の名称・型番、洗滌消毒工程の内容や、実施日時、そして流量が設定値から外れている状態の検知の確認結果、洗滌消毒工程が使用者に告知すべき（動作）状態が無く行われた事を表示、または印字させても良いことは勿論である。
【０１０２】
また、図１０乃至図１２は本発明の第２の実施の形態を示すものである。本実施の形態は第１の実施の形態（図１乃至図９参照）の内視鏡洗滌消毒装置１の構成を次の通り変更したものである。なお、図１０乃至図１２中で、第１の実施の形態と同一構成部分には同一の符号を付してその説明を省略する。
【０１０３】
すなわち、本実施の形態では内視鏡洗滌消毒装置１の洗滌槽２９内にセットされる内視鏡２に接続される洗滌チューブ５３、５４、５５の接続場所を図１０に示すように、内視鏡２のユニバーサルコード６側のコネクタ部７に配置したものである。
【０１０４】
図１０において、内視鏡洗滌消毒装置１の洗滌槽２９の内周面には、第１の実施の形態と同様に内視鏡用通信コネクタ３２と、吸引管路洗滌チューブ接続口３３と、鉗子起上パイプ洗滌チューブ接続口３５とがそれぞれ配設されているとともに、送気管路洗滌チューブ接続口１１１と、送水管路洗滌チューブ接続口１１２とが配設されている。
【０１０５】
また、内視鏡洗滌消毒装置１の本体内に配設された内視鏡管路内洗滌消毒用管路４４の下流（分岐流路）側には４つの分岐流路４４ａ，４４ｂ，４４ｃ，４４ｄが形成されている。そして、分岐流路４４ａは吸引管路洗滌チューブ接続口３３、分岐流路４４ｂは送気管路洗滌チューブ接続口１１１、分岐流路４４ｃは送水管路洗滌チューブ接続口１１２、分岐流路４４ｄは鉗子起上パイプ洗滌チューブ接続口３５にそれぞれ接続されている。
【０１０６】
さらに、内視鏡管路内洗滌消毒用管路４４の各分岐流路４４ａ，４４ｂ，４４ｃ，４４ｄの途中には、洗滌消毒管路切換え電磁弁４８ａ，４８ｂ，４８ｃ，４８ｄがそれぞれ介設されている。
【０１０７】
また、洗滌槽２９の内部側には内視鏡管路の洗滌消毒用の４つの洗滌チューブ１１３〜１１６が設けられている。ここで、１つの洗滌チューブ１１３の一端部は吸引管路洗滌チューブ接続口３３に連結され、内視鏡２の吸引管路洗滌消毒用洗滌チューブが形成されている。この吸引管路洗滌消毒用洗滌チューブ１１３の他端部には吸引用連結部１１７が設けられている。そして、図１２に示すようにこの吸引管路洗滌消毒用洗滌チューブ１１３の吸引用連結部１１７が洗滌槽２９内にセットされた内視鏡２のコネクタ部７の吸引口金６７に着脱可能に接続されている。
【０１０８】
また、洗滌チューブ１１４の一端部は送気管路洗滌チューブ接続口１１１に連結され、送気管路洗滌消毒用洗滌チューブが形成されている。この送気管路洗滌消毒用洗滌チューブ１１４の他端部側には図１１に示すように２つの管路に分岐された分岐管路１１４ａ，１１４ｂが設けられている。ここで、一方の分岐管路１１４ａの先端部には第１の送気用連結部１１８ａが設けられている。さらに、他方の分岐管路１１４ｂの先端部には第２の送気用連結部１１８ｂが設けられている。そして、この送気管路洗滌消毒用洗滌チューブ１１４の一方の分岐管路１１４ａの第１の送気用連結部１１８ａは内視鏡２のコネクタ部７の外周面の口金６５ｂに着脱可能に接続されている。さらに、送気管路洗滌消毒用洗滌チューブ１１４の他方の分岐管路１１４ｂの第２の送気用連結部１１８ｂは内視鏡２のコネクタ部７の先端面の口金６６に着脱可能に接続されている。
【０１０９】
また、洗滌チューブ１１５の一端部は送水管路洗滌チューブ接続口１１２に連結され、送水管路洗滌消毒用洗滌チューブが形成されている。この送水管路洗滌消毒用洗滌チューブ１１５の他端部側には図１１に示すように送水用連結部１１９が設けられている。そして、この送水管路洗滌消毒用洗滌チューブ１１５の送水用連結部１１９が洗滌槽２９内にセットされた内視鏡２のコネクタ部７の送水口金６５ａに着脱可能に接続されている。
【０１１０】
また、洗滌チューブ１１６の一端部は鉗子起上パイプ洗滌チューブ接続口３５に連結され、鉗子起上パイプ洗滌消毒用洗滌チューブが形成されている。この鉗子起上パイプ洗滌消毒用洗滌チューブ１１６の他端部側には内視鏡接続部１２０が設けられている。そして、この鉗子起上パイプ洗滌消毒用洗滌チューブ１１６の内視鏡接続部１２０が洗滌槽２９内の内視鏡２の図示しない鉗子起上パイプに接続されている。
【０１１１】
また、洗滌槽２９内にセットされる内視鏡２の操作部５には送気送水ボタンシリンダ６２と吸引シリンダ６３とを塞ぐシリンダ栓コネクタ１２１と、処置具挿入口部６４を塞ぐ鉗子栓コネクタ１２２とが装着されている。さらに、シリンダ栓コネクタ１２１には送気送水管路ボタンシリンダ６２の内部に挿入される送気送水シリンダ挿入部１２３と、吸引シリンダ６３の内部に挿入される吸引シリンダ挿入部１２４とが設けられている。ここで、送気送水シリンダ挿入部１２３の外周面にはリング状のパッキン１２５が装着されている。このパッキン１２５は内視鏡２の送気送水管路ボタンシリンダ６２の内周面に圧接され、この送気送水管路ボタンシリンダ６２の内部を２つの空間に区切り、送気管路１２６と、送水管路１２７とを分離している。
【０１１２】
次に、上記構成の本実施の形態の内視鏡洗滌消毒装置１の作用について説明する。本実施の形態の内視鏡洗滌消毒装置１による内視鏡２の洗滌消毒作業時には、まず、検査に使用された使用済みの内視鏡２を洗滌槽２９内にセットする。このとき、吸引管路洗滌消毒用洗滌チューブ１１３の吸引用連結部１１７が内視鏡２のコネクタ部７の吸引口金６７に接続される。さらに、送気管路洗滌消毒用洗滌チューブ１１４の第１の送気用連結部１１８ａが内視鏡２のコネクタ部７の外周面の口金６５ｂに接続され、第２の送気用連結部１１８ｂが内視鏡２のコネクタ部７の先端面の口金６６に接続される。また、送水管路洗滌消毒用洗滌チューブ１１５の送水用連結部１１９が内視鏡２のコネクタ部７の送水口金６５ａに接続され、鉗子起上パイプ洗滌消毒用洗滌チューブ１１６の内視鏡接続部１２０が内視鏡２の図示しない鉗子起上パイプに接続される。さらに、内視鏡２の操作部５には送気送水ボタンシリンダ６２と吸引シリンダ６３とを塞ぐシリンダ栓コネクタ１２１と、処置具挿入口部６４を塞ぐ鉗子栓コネクタ１２２とが装着される。
【０１１３】
これにより、図１１に示す送気送水管路洗滌消毒用の送気・送液系が構成されるとともに、図１２に示す吸引管路洗滌消毒用の送気・送液系が構成される。そして、送水管路洗滌消毒用洗滌チューブ１１５から送られた洗滌液や、エアーは図１１中に矢印で示すように内視鏡２のコネクタ部７からユニバーサルコード側送水管路６８を通って操作部５の送気送水管路ボタンシリンダ６２へと達する。ここからさらに、挿入部側送水管路６０へと導かれ、挿入部４の先端の送気送水ノズル５８より内視鏡２の外へ抜けていく。
【０１１４】
また、送気管路洗滌消毒用洗滌チューブ１１４から送られた洗滌液や、エアーは図１１中に矢印で示すように内視鏡２のコネクタ部７からユニバーサルコード側送気管路６９を通って操作部５の送気送水管路ボタンシリンダ６２へと達する。ここからさらに、挿入部側送気管路６１へと導かれ、挿入部４の先端の送気送水ノズル５８より内視鏡２の外へ抜けていく。
【０１１５】
さらに、図１２に示すように吸引管路洗滌消毒用洗滌チューブ１１３から送られた洗滌液や、エアーは図１２中に矢印で示すように内視鏡２のコネクタ部７からユニバーサルコード側吸引管路７０を通って操作部５の吸引管路ボタンシリンダ６３へと達する。ここで、シリンダ６３の開口部はシリンダ栓コネクタ１２１により塞がれているので、ここからさらに挿入部側吸引管路である処置具挿通チャンネル５９へと導かれる。そして、処置具挿通チャンネル５９の途中の処置具挿入口部６４もまた、鉗子栓コネクタ１２２により塞がれているので、エアーや、洗滌液は挿入部４の先端まで導かれて内視鏡２の外へと抜けていく。
【０１１６】
そこで、本実施の形態によれば、内視鏡２の内部の送気管路１２６と、送水管路１２７とがそれぞれ一本道の管路のように構成される為、それぞれの管路の何処かで流量が減少している場合は流量が大幅に変化する。そのため、洗滌消毒工程前に第１の実施の形態と同様に、通信ケーブル１０を用いて内視鏡２と内視鏡洗滌消毒装置１側の内視鏡通信コネクタ３２との間を電気的に接続させ、通信することによって、内視鏡２より管路情報を得ておき、実際の洗滌消毒工程中の流量を検知して比較演算する事により、内視鏡２の管路の流量の減少等の使用者に告知すべき（動作）状態を検知することができる。
【０１１７】
さらに、本実施の形態によれば、内視鏡２の内部の吸引管路５７もまた一本道の管路のように構成される為、管路の何処かで流量が減少している場合は管路の流量が設定値の範囲内の時に比べ大幅に変化するので、第１の実施の形態と同様に、使用者に告知すべき（動作）状態を容易に検知することができる。
【０１１８】
また、図１３は本発明の第３の実施の形態を示すものである。本実施の形態は第２の実施の形態（図１０乃至図１２参照）の内視鏡洗滌消毒装置１の構成を次の通り変更したものである。
【０１１９】
すなわち、第２の実施の形態では内視鏡洗滌消毒装置１の洗滌槽２９内にセットされる内視鏡２の送気送水管路を洗滌するために送気管路洗滌消毒用洗滌チューブ１１４と送水管路洗滌消毒用洗滌チューブ１１５の２つの洗滌チューブを設け、これらの２つの洗滌チューブ１１４，１１５を内視鏡２のユニバーサルコード６側のコネクタ部７に連結することにより、洗滌槽２９内にセットされる内視鏡２の送気送水管路を送気管路１２６と、送水管路１２７とに分離して内視鏡２の送気送水管路内に送気送液する構成を示したが、本実施の形態では図１３に示すように、第２の実施の形態の送気管路洗滌消毒用洗滌チューブ１１４と送水管路洗滌消毒用洗滌チューブ１１５の２つの洗滌チューブを１つにまとめた１本の送気送水管路洗滌消毒用洗滌チューブ１３１を設け、この１本の洗滌チューブ１３１から内視鏡２の送気送水管路に同時に送気送水する管路構成にしたものである。
【０１２０】
また、洗滌チューブ１３１における内視鏡接続部側には２つの管路に分岐された分岐管路１３１ａ，１３１ｂが設けられている。ここで、一方の分岐管路１３１ａの先端部には第１の送気送液管路連結部１３２ａが設けられている。この第１の送気送液管路連結部１３２ａには内視鏡２のコネクタ部７の外周面の口金６５ａ，６５ｂにそれぞれ着脱可能に接続される２つの凹陥部１３３ａ，１３３ｂが設けられている。
【０１２１】
さらに、他方の分岐管路１３１ｂの先端部には第２の送気送液管路連結部１３２ｂが設けられている。この第２の送気送液管路連結部１３２ｂには内視鏡２のコネクタ部７の先端面の口金６６に着脱可能に接続される凹陥部１３４が設けられている。
【０１２２】
また、内視鏡２の送気送水ボタンシリンダ６２および吸引シリンダ６３にはシリンダ栓コネクタ１３５が装着されている。このシリンダ栓コネクタ１３５には送気送水ボタンシリンダ６２の各開口部を塞ぐ送気送水ボタンシリンダ閉塞部１３５ａと、吸引シリンダ６３の各開口部を塞ぐ吸引シリンダ閉塞部１３５ｂとが設けられている。
【０１２３】
なお、内視鏡２の吸引管路５７、鉗子起上パイプヘの内視鏡洗滌消毒装置１からの送気送液方法は第２の実施の形態と同じ構成になっているので、ここではその説明を省略する。
【０１２４】
そして、本実施の形態の内視鏡洗滌消毒装置１の使用時には送気送水管路洗滌消毒用洗滌チューブ１３１の一方の分岐管路１３１ａの第１の送気送液管路連結部１３２ａが内視鏡２のコネクタ部７の外周面の口金６５ａ，６５ｂにそれぞれ着脱可能に接続されるとともに、この洗滌チューブ１３１の他方の分岐管路１３１ｂの第２の送気送液管路連結部１３２ｂがコネクタ部７の先端面の口金６６に着脱可能に接続される。この状態で、内視鏡洗滌消毒装置１から送気送水管路洗滌消毒用洗滌チューブ１３１を通じて送られるエアーや、洗滌液等は、内視鏡２のコネクタ部７からユニバーサルコード側送水管路６８とユニバーサルコード側送気管路６９を通って操作部５の送気送水管路ボタンシリンダ６２へと達する。ここで、シリンダ６２の開口部はシリンダ栓コネクタ１３５により塞がれているので、送られるエアーや、洗滌液等は、ここからさらに、挿入部側送水管路６０と挿入部側送気管路６１へと導かれ、挿入部４の先端の送気送水ノズル５８より内視鏡２の外へ抜けていく。
【０１２５】
そこで、上記構成のものにあっては次の効果を奏する。すなわち、本実施の形態によれば、内視鏡２の送気管路と送水管路の何処かで流量が減少している場合、内視鏡２の送気管路と送水管路を流れる流量が減少するので、使用者に告知すべき（動作）状態を検知することができる。そのため、本実施の形態では、内視鏡２の送気送水管路を洗滌するために内視鏡２のコネクタ部７に接続する洗滌チューブ１３１を第２の実施の形態に比べて１本削減できるので、内視鏡洗滌消毒装置１側の部品点数、制御方法等も第２の実施の形態に比べ簡略化することができる。
【０１２６】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  内視鏡に予め付された管路情報を読み取る手段と、工程中に内視鏡の各管路の流量を測定する手段と、前記読み取った管路情報に基づいて前記測定された流量が設定値の範囲内か判断する演算手段と、流量が設定値の範囲外の場合に使用者に告知すべき（動作）状態を告知する手段を具備した事を特徴とする内視鏡洗滌消毒装置。
【０１２７】
（付記項２）  内視鏡の各管路へ送気を行う送気源と、内視鏡各管路と装置とを繋ぐ洗滌チューブと、送気する対象内視鏡管路を切替える手段と、内視鏡内部の送気管路及び送水管路を連通する手段を具備したことを特徴とする自動内視鏡洗滌消毒装置。
【０１２８】
（付記項３）  上記使用者に告知すべき（動作）状態は、内視鏡管路の何処かで流量が減少している状態、洗滌チューブの外れ、洗滌チューブの付け忘れ、装置内部管路の外れ、装置内部管路の漏れ、装置内部送気源の動作不良等であることを特徴とする付記項１に記載の自動内視鏡洗滌消毒装置。
【０１２９】
（付記項１〜３の従来技術）  従来から、内視鏡は体腔内の検査および治療に広く利用されており、その内部には送気、送水、吸引等を行うための各種の管路が組み込まれている。そして、内視鏡は、使用する毎に、その内部管路を洗滌消毒する必要がある。
【０１３０】
ところで、内視鏡は、胃用内視鏡、十二指腸用内視鏡、大腸用内視鏡、気管支用内視鏡など多種類である。胃用内視鏡は、一般的に特殊な管路がなく、また管路も短く標準的な太さである。十二指腸用内視鏡には管路が極めて細い鉗子起上パイプがある。大腸用内視鏡は、挿入部が長く、管路も太い。逆に気管支用内視鏡は、管路が細い。このように内視鏡管路は、種類によって構造が大きく異なっている。
【０１３１】
これらを洗滌消毒する為に、内視鏡洗滌消毒装置においては、装置と内視鏡管路とを接続し、装置から内視鏡管路内へ洗滌液や消毒液、空気等を送り込んでいる。ここで、内視鏡管路の洗滌性、消毒性を保つ為には内視鏡管路への十分な送液及び送気が行われなくてはならない。
【０１３２】
従来の内視鏡洗滌消毒装置においては、内視鏡管路を流れる液体の流量や圧力などを測定し、内視鏡管路に詰まりが無く、送液及び送気が十分行われているかを確認する手段が提案されている。
【０１３３】
（付記項１〜３が解決しようとする課題）  内視鏡管路に送気、送液する際、各種内視鏡管路のそれぞれに適切な流量、圧力で供給されているか否かを検出するのは困難であった。
【０１３４】
（付記項１〜３の目的）  本発明はこの様な事情に鑑みてなされたもので、その目的とする所は多種多様な内視鏡管路のそれぞれに供給される気体や液体の流通状態を簡単な構成で検出することができる内視鏡洗滌消毒装置を提供する事にある。
【０１３５】
（付記項１の課題を解決するための手段）  本発明は、前記課題を解決する為に、内視鏡に予め付された管路情報を読み取る手段と、工程中に内視鏡の各管路の流量を測定する手段と、前記読み取った管路情報に基づいて前記測定された流量が設定値の範囲内か判断する演算手段と、流量が設定値の範囲外の場合に使用者に告知すべき（動作）状態を告知する手段を具備した事を特徴とする内視鏡洗滌消毒装置により構成される。
【０１３６】
（付記項１の作用）  内視鏡の管路構成、管路の流量や圧力等のデータを内視鏡に付し、このデータを洗滌消毒装置が認識して、当該内視鏡の各管路に応じた流量や圧力の基準値を設定し、この基準値と流量センサーからの出力値と各管路ごと個別に比較演算することで内視鏡管路への十分な送気・送液が行われている事を確実に確認する事が出来る。
【０１３７】
（付記項１〜３の効果）  以上説明したように、本発明によれば内視鏡管路の流量が設定値の範囲外の状態やコンプレッサー、ポンプなどの状態、洗滌チューブ外れ等を検知する事が出来、適切な内視鏡の洗滌消毒が行うことができる。
【０１３８】
（付記項４）  内視鏡の内部に設けられた管路に送液をする内視鏡洗滌消毒装置において、前記内視鏡の管路に流体を導く送水管路と、前記送水管路に流れる流体の物理量を測定する測定手段と、前記測定結果と所定の基準値とを比較する比較手段と、前記比較手段の比較結果に基づき、前記内視鏡の管路に流れる流体を制御する制御手段とを備えたことを特徴とする内視鏡洗滌消毒装置。
【０１３９】
（付記項５）  前記比較手段の比較結果に基づき、前記制御手段の制御状態を告知する告知手段を備えたことを特徴とする付記項４記載の内視鏡洗滌消毒装置。
【０１４０】
（付記項６）  前記送水管路に設けられ、前記内視鏡の第１の管路の一端の開口部に着脱自在に接続可能な第１の接続部と、前記内視鏡の第１の管路の他端の開口部に着脱自在に接続可能な第２の接続部と、前記内視鏡の第２の管路に一端の開口部に着脱自在に接続可能な第３の接続部と、前記第２の接続部と前記第３の接続部を連通する連通手段とを備えたことを特徴とする付記項４記載の内視鏡洗滌消毒装置。
【０１４１】
（付記項７）  前記内視鏡の第１の管路の端部と前記送水管路の端部に接続された第１の送液管路と、前記内視鏡の第２の管路の端部と前記送水管路の端部にされた第２の送液管路と、前記第１の送液管路と前記第２の送液管路に各々設けられた複数の電磁弁と、前記複数の電磁弁を選択的に切り替える制御手段とを備えたことを特徴とする付記項４記載の内視鏡洗滌消毒装置。
【０１４２】
【発明の効果】
以上説明したように、請求項１の発明によれば、読取手段により読み取られた内視鏡の管路に流す流体の流量設定値と、測定手段により測定された内視鏡の管路を流れる流体の流量測定値とを比較し、制御手段によって流量測定値が流量設定値を越えたか否かを判定するようにしたので、多種多様な内視鏡管路のそれぞれに供給される気体や液体の流通状態を簡単な構成で検出することができる。
【０１４３】
請求項２の発明によれば、測定手段で測定された流体の流量が設定値から外れていると判断された場合には告知手段によって内視鏡管路の流体の流量が設定値から外れている状態を告知するようにしたので、多種多様な内視鏡管路の状態を正確に確認することができ、適切な内視鏡の洗滌消毒を行うことができる。
【図面の簡単な説明】
【図１】  本発明の第１の実施の形態の内視鏡洗滌消毒装置とその洗滌消毒対象物である内視鏡を示す概略構成図。
【図２】  第１の実施の形態の内視鏡洗滌消毒装置の洗滌消毒対象物である内視鏡を組込んだ内視鏡装置のシステム全体の概略構成図。
【図３】  第１の実施の形態の内視鏡及び画像処理装置の概略構成図。
【図４】  第１の実施の形態の内視鏡洗滌消毒装置のシステム全体の概略構成図。
【図５】  第１の実施の形態の内視鏡洗滌消毒装置の使用時に内視鏡内部の送気送水管路にバイパスチューブと送水管路洗滌消毒用洗滌チューブとが接続された状態を示す概略構成図。
【図６】  第１の実施の形態の内視鏡洗滌消毒装置の使用時に内視鏡内部の吸引管路に吸引管路洗滌消毒用洗滌チューブと送水管路洗滌消毒用洗滌チューブとが接続された状態を示す概略構成図。
【図７】  第１の実施の形態の内視鏡洗滌消毒装置の操作パネルを示す正面図。
【図８】  第１の実施の形態の内視鏡洗滌消毒装置の制御を行う制御部の概略構成図。
【図９】  第１の実施の形態の内視鏡洗滌消毒装置による内視鏡の洗滌消毒動作を説明するためのフローチャート。
【図１０】  本発明の第２の実施の形態を示す内視鏡洗滌消毒装置のシステム全体の概略構成図。
【図１１】  第２の実施の形態の内視鏡洗滌消毒装置の使用時に内視鏡にシリンダ栓コネクタと内視鏡の送気管路洗滌消毒用洗滌チューブと内視鏡の送水管路洗滌消毒用洗滌チューブとが接続された状態を示す概略構成図。
【図１２】  第２の実施の形態の内視鏡洗滌消毒装置の使用時に内視鏡にシリンダ栓コネクタと鉗子栓コネクタと内視鏡の吸引管路洗滌消毒用洗滌チューブとが接続された状態を示す概略構成図。
【図１３】  本発明の第３の実施の形態を示す要部の概略構成図。
【符号の説明】
２    内視鏡
３２    内視鏡用通信コネクタ（読取手段）
４７    流量センサー（測定手段）
５３    吸引管路洗滌消毒用洗滌チューブ（管路接続部）
５４    送気送水管路洗滌消毒用洗滌チューブ（管路接続部）
５５    鉗子起上パイプ洗滌消毒用洗滌チューブ（管路接続部）
５６    送気送水管路（内視鏡管路）
５７    吸引管路（内視鏡管路）
９２    メッセージコード表示部（告知手段）
９４    告知ブザー（告知手段）
９６    ＣＰＵ（制御手段）
【図１】
0004633274.tif 000004
【図２】
0004633274.tif 000005
【図３】
0004633274.tif 000006
【図４】
0004633274.tif 000007
【図５】
0004633274.tif 000008
【図６】
0004633274.tif 000009
【図７】
0004633274.tif 000010
【図８】
0004633274.tif 000011
【図９】
0004633274.tif 000012
【図１０】
0004633274.tif 000013
【図１１】
0004633274.tif 000014
【図１２】
0004633274.tif 000015
【図１３】
0004633274.tif 000016